(57)【要約】【課題】作業者の負担を軽減することができ、バケットを傾けずに雪を排出することができる機能を有し、長時間利用しても作業者を疲れさせないスパイラル付き除雪具を提供する。【解決手段】一側面が開口された開口部２を有し、曲成されたバケット体１と、円筒状のロール３ｂの外周面上に形成されたスパイラル状の羽根３ａを有するスパイラル羽根体３と、を備え、スパイラル羽根体３の順方向に、開口部２が位置するように構成されたスパイラル羽根付き除雪具１００であって、バケット体１のガイド面４に沿って、スパイラル羽根体３の回転によって雪を摺動して排出する。【選択図】図１
0003119603.tif 000002
【実用新案登録請求の範囲】
【請求項１】
一側面が開口された開口部を有し、曲成されたバケット体と、
円筒状のロールの外周面上に形成されたスパイラル状の羽根を有するスパイラル羽根体と、
を備え、
前記スパイラル羽根体の順方向に、前記開口部が位置するように構成されたスパイラル羽根付き除雪具であって、
前記バケット体をガイド面として、前記スパイラル羽根体の回転によって雪を摺動して排出することを特徴とするスパイラル羽根付き除雪具。
【請求項２】
前記バケット体は、曲成された内面が滑らかに形成されていることを特徴とする請求項１記載のスパイラル羽根付き除雪具。
【請求項３】
前記バケット体の底部は、金属板が固設されていることを特徴とする請求項１又は２記載のスパイラル羽根付き除雪具。
【請求項４】
前記バケット体の裏面部は、前記スパイラル羽根体の逆方向に斜めの梁が形成されていることを特徴とする請求項１から３のいずれか記載のスパイラル羽根付き除雪具。
【請求項５】
前記バケット体には、把持部を有する連結体が固設されていることを特徴とする請求項１から４のいずれか記載のスパイラル羽根付き除雪具。
【請求項６】
前記バケット体には、小枠の第１の連結体が固設され、
前記第１の連結体の側面には、把持部を有する当該第１の連結体よりも大枠の第２の連結体が固設されていることを特徴とする請求項１から５のいずれか記載のスパイラル羽根付き除雪具。
【請求項７】
前記把持部には、前記スパイラル羽根体の逆方向に斜めの凸条が形成されていることを特徴とする請求項５又は６記載のスパイラル羽根付き除雪具。
【請求項８】
前記スパイラル羽根体の前記円筒状のロールはベアリング機構を有することを特徴とする請求項１から７のいずれか記載のスパイラル羽根付き除雪具。
【考案の詳細な説明】
【技術分野】
【０００１】
本考案は、流雪溝に雪を押し落としたり、一方向に雪を集積したりすることができる除雪具に関する。
【背景技術】
【０００２】
従来より、積雪地帯において除雪作業は多大な労力と時間を要する作業である。そして、除雪作業をするための除雪具といえば、雪を掻き分けて除雪を行うスコップタイプの除雪具や、雪を大量に押し進みながら抱えて運搬するバケットタイプの除雪具などがある。
【０００３】
例えば、特許文献１に記載の流雪溝用排雪器は、押柄の長さを長くして握持部を手で握持して雪を押動する際に腰を曲げなくともよい長さに構成したから、雪を押し落とす作業を楽に行うことができ、作業性が向上し、長時間使用しても疲れを感じない実用的なものを提供している。
【０００４】
また、特許文献２に記載の車輪付き除雪具は、大量の雪を運搬する際の重量を考慮してバケット部分に車輪を取り付けて除雪を行えるようにしており、さらに除雪具として活用する以外にも、雪の無い時期でも物を運搬するような軽作業に簡易に利用できるものを提供している。
【０００５】
【特許文献１】特開平１０−６０８４７号公報（段落番号［０００９］）
【特許文献２】登録実用新案第３０３９９９９号公報（段落番号［０００５］）
【考案の開示】
【考案が解決しようとする課題】
【０００６】
しかしながら、特許文献１に開示された流雪溝用排雪器は、道路の脇などに設けられている側溝に雪を押動する為のバケットタイプであり、バケット体の内部に雪を一定量以上積み込むと重量が重くなり、それ以上の雪を押すことが困難になる。また、側溝に雪を押し落とす際には、バケット体に積み込まれずに排雪器の前面で押している雪は、側溝にそのまま落とすことができるが、バケット体に積み込まれた雪は、バケットの角度を上げるために押柄を立てるように排雪器の角度を上げるようにするか、またはバケット体をひっくり返すように傾けないと、バケット体の中に残っている雪を全て押し落とすことができずに、作業者の負担になるといった問題があり、長時間利用すると疲れるものである。
【０００７】
また、特許文献２に開示された車輪付き除雪具は、運搬走行時に板状部材前端部が地面に接していないので、運搬走行しながら道路を除雪しても雪が残ることになる。バケットに積載した雪を降ろすときには、上述の特許文献１と同様に、除雪具を立たせるようにハンドルの角度を上げるようにするか、またはバケットをひっくり返すように傾けないとバケット内に残っている雪を全て押し落とすことができずに、作業者の負担になるといった問題がある。
【０００８】
本考案は、以上の点に鑑みてなされたものであり、その目的は、作業者の負担を軽減することができ、バケットを傾けずに雪を排出することができる機能を有し、長時間利用しても作業者を疲れさせない除雪具を提供することにある。
【課題を解決するための手段】
【０００９】
以上のような課題を解決するために、本考案は、以下のものを提供する。
【００１０】
（１）  一側面が開口された開口部を有し、曲成されたバケット体と、円筒状のロールの外周面上に形成されたスパイラル状の羽根を有するスパイラル羽根体と、を備え、前記スパイラル羽根体の順方向に、前記開口部が位置するように構成されたスパイラル羽根付き除雪具であって、前記バケット体をガイド面として、前記スパイラル羽根体の回転によって雪を摺動して排出することを特徴とするスパイラル羽根付き除雪具。
【００１１】
本考案によれば、一側面が開口された開口部を有するバケット体と、スパイラル状の羽根を有するスパイラル羽根体と、が設けられ、このスパイラル羽根体の順方向に開口部が位置するように構成され、スパイラル羽根体が回転すると、バケット体をガイド面として雪が摺動して排出されるようにしたので、作業者の負担を軽減させることができる。
【００１２】
すなわち、スパイラル羽根付き除雪具を前方に押動すると、スパイラル羽根体が順方向に回転し、道路に堆積した雪がスパイラル羽根体の回転によってバケット体に取り入れられ、バケット体の曲成された面をガイド面として摺動しながら開口部へ排出されるので、一定量以上の雪をバケット体に溜めることなく排出することができ、ひいては作業者の負担を軽減させることができる。
【００１３】
特に、本考案では、スパイラル羽根体が、雪掻き機能と車輪機能の双方の機能を同時に発揮することができる。すなわち、スパイラル羽根付き除雪具を前方に押動するときスパイラル羽根体は回転するところ、この回転によって、スパイラル羽根付き除雪具を前方に滑らかに（摩擦抵抗が少ない状態で）押動することができ、かつ、バケット体に取り入れられた雪をバケット体の開口部から排出することができる。これにより、従来はバケット体に取り入れられた雪を受動的に排出するのではなく、スパイラル羽根体の雪掻き機能によって強制的に排出させるから、バケット体に雪を溜めることなく負荷が減り、作業者の負担を軽減させることができる。さらに、スパイラル羽根体の車輪機能によって、雪道（道路等）の移動がスムーズになり、作業者の負担を軽減させることができる。
【００１４】
また、スパイラル羽根体の順方向に位置する開口部から雪を順次排出することとしているので、従来のように、バケット体に積まれた雪を外部に排出するために、除雪具の角度を上げるたり、またはバケット体をひっくり返すように傾けたりする必要がなく、この点でも作業者の負担を軽減しうるものとなっている。特に、一側面が開口された開口部を有し、他側面が閉口されているバケット体においては、開口部を有する一側面側のみから確実に雪を排出することができる。
【００１５】
さらには、上述した特許文献２に開示された車輪付き除雪具は、バケット体に車輪が設けられているものであり、運搬走行時に板状部材前端部が地面に接していないので、運搬走行しながら道路を除雪しても雪が残っていたが、本考案によれば、スパイラル羽根体の回転によって、田んぼを耕すように地面の雪を掻き、掻き出した雪を開口部から排出することとしているので、道路を除雪すると残雪がほとんどない。従って、除雪作業の効率性を向上することができる。
【００１６】
ここで、「スパイラル羽根体の順方向」とは、スパイラル羽根体が回転したときに被運搬物が摺動して移動する方向を意味する。また、「曲成された」バケット体には、湾曲状に形成されたバケット体は勿論のこと、塵取りのようなＬ字形状に形成されたバケット体や、くの字型に折れ曲がったバケット体などが含まれ、その形状・大きさの如何は問わない。
【００１７】
（２）  前記バケット体は、曲成された内面が滑らかに形成されていることを特徴とするスパイラル羽根付き除雪具。
【００１８】
本考案によれば、上述したバケット体は、曲成された内面（表面）が滑らかに形成されていることとしたので、スパイラル羽根体の回転によって雪を摺動して排出するとき、バケット体の内面で、雪が規制されることなく滑らかに移動する。
【００１９】
従って、スパイラル羽根付き除雪具を前方に押動したとき、一定量以上の雪をバケット体に溜めることなく滑らかに排出することができ、ひいては作業者の負担をさらに軽減させることができる。
【００２０】
なお、上述した特許文献１に開示された流雪溝用排雪器は、そのバケット体の内面に、雪が移動する方向を誘導するための誘導凸部が設けられており、この誘導凸部は、スパイラル羽根体を押動する方向に雪を押し進めるために、この方向に延びた細長形状となっている。これにより、スパイラル羽根体を押動する方向に雪を押し進めることができ、ひいてはこの方向の先にある流雪溝に、雪を押し落とすことができる。一方で、本考案に係るスパイラル羽根付き除雪具は、スパイラル羽根体を押動する方向に雪を押し進めるのではなく、スパイラル羽根体の順方向に位置する開口部から（スパイラル羽根体を押動する方向とは略直交する方向から）雪を排出するものである。従って、上述した誘導凸部など、特にバケット体の内面に所定形状の凸部を設けなくても、スパイラル羽根付き除雪具を流雪溝と並行して押動することによって、流雪溝に雪を落とすことができる。また、上述のとおり、バケット体の内面を滑らかに形成することで、バケット体に溜まった雪を滑らかに排出することができ、作業者の負担を更に軽減させることができる。
【００２１】
（３）  前記バケット体の底部は、金属板が固設されていることを特徴とするスパイラル羽根付き除雪具。
【００２２】
本考案によれば、バケット体の底部には、磨耗防止用の金属板が固設されていることとしたから、プラスチック製のバケット体等で摩擦による磨耗が激しい場合であっても、バケット体の破損を防止することができ、ひいては耐久性の高いスパイラル羽根付き除雪具を提供することができる。
【００２３】
また、道路に堆積した雪が硬化していても、かかる金属板によって破砕して除雪作業を行うことができ、作業者は、硬化した雪を破砕するために、勢いをつけてバケット体を押動しなくても比較的容易に破砕することができる。
【００２４】
（４）  前記バケット体の裏面部は、前記スパイラル羽根体の逆方向に斜めの梁が形成されていることを特徴とするスパイラル羽根付き除雪具。
【００２５】
本考案によれば、バケット体の裏面部（内面・表面の反対側）に、スパイラル羽根体の逆方向に斜めの梁が形成されていることにしたから、雪の荷重に対する強度を上げることができ、ひいては耐久性の高いスパイラル羽根付き除雪具を提供することができる。特に、「スパイラル羽根体の順方向」に雪を排出する構造上、その順方向に常に負荷がかかることから、「スパイラル羽根体の逆方向に斜め」の梁を形成することで、かかる負荷に耐えることができる。
【００２６】
（５）  前記バケット体には、把持部を有する連結体が固設されていることを特徴とするスパイラル羽根付き除雪具。
【００２７】
本考案によれば、バケット体には、把持部を有する連結体が固設されていることとしたので、作業者は、把持部をしっかり握りながらスパイラル羽根付き除雪具を押動することができ、長時間利用しても疲れをほとんど感じることなく除雪作業をすることができる。
【００２８】
（６）  前記バケット体には、小枠の第１の連結体が固設され、前記第１の連結体の側面には、把持部を有する当該第１の連結体よりも大枠の第２の連結体が固設されていることを特徴とするスパイラル羽根付き除雪具。
【００２９】
本考案によれば、バケット体には、第２の連結体よりも小枠の第１の連結体が固設され、この第１の連結体の側面には、把持部を有する第１の連結体よりも大枠の第２の連結体が固設されていることとしたので、１本のフレームによってバケット体に連結してスパイラル羽根付き除雪具を押動するよりも、バケット体の振動を分散させるので、急激な負荷がかかった場合でも安定した走行が保てる。また、急激な負荷がかかった場合でも、第1の連結体と第２の連結体に負荷が分散されるので、連結体やバケット体の破損（捩れ、歪み等）を防止することができる。さらに、連結体の長さが足りない場合など、作業者は必要以上に前屈みになることなく楽な体勢で除雪作業を行うことができ、作業者の負担を軽減させることができる。
【００３０】
（７）  前記把持部には、前記スパイラル羽根体の逆方向に斜めの凸条が形成されていることを特徴とするスパイラル羽根付き除雪具。
【００３１】
本考案によれば、把持部に、スパイラル羽根体の逆方向に斜めの凸条が形成されていることとしたことから、作業者は、把持部をしっかりと握ってスパイラル羽根付き除雪具を押動することができ、把持部を握る手が前方向や横方向に滑るのを防止することができる。特に、把持部に形成された凸条は、スパイラル羽根体の逆方向に斜めとなっているので、除雪作業中にバケット体がぶれないように、把持部を効果的に握ることができる。
【００３２】
（８）  前記スパイラル羽根体の前記円筒状のロールはベアリング機構を有することを特徴とするスパイラル羽根付き除雪具。
【００３３】
本考案によれば、スパイラル羽根体の円筒状のロールは、ベアリング機構を有することとしたので、回転部分の摩擦を大きく低減させることが可能となり、作業者はスパイラル羽根体を回転させるのに大きな力を必要とせず、作業者の負担を軽減することができる。特に、雪質によってスパイラル羽根付き除雪具にかかる負荷が異なり、柔らかい雪の上を押動する場合には、スパイラル羽根体に雪が取り込まれやすく、スムーズな回転が期待できるが、硬い雪の上を押動する場合には、スパイラル羽根体に負荷がかかりスムーズな回転が期待できないことから、ベアリング機構を有することで、スムーズな回転を確保することができる。
【考案の効果】
【００３４】
以上説明したように、本考案は、スパイラル羽根体の回転によって、スパイラル羽根体の順方向に雪を摺動して排出することができるので、一定量以上の雪をバケット体に溜めることなく排出することができ、ひいては作業者の負担を軽減させることができる。また、除雪具の角度を上げるたり、バケット体をひっくり返すように傾けたりしなくても、バケット体に積み込まれた雪を外部に排出することができるので、長時間利用しても疲れをほとんど感じることなく除雪作業をすることができる。
【考案を実施するための最良の形態】
【００３５】
以下、本考案を実施するための最良の形態について、図面に基づいて説明する。
【００３６】
［外観構成］
図１は、本考案の実施の形態に係るスパイラル羽根付き除雪具１００の斜視図を示す図であり、図２は、本考案の実施の形態に係るスパイラル羽根付き除雪具１００の裏面（背面）を示す図である。
【００３７】
図１及び図２において、スパイラル羽根付き除雪具１００は、主に、バケット体１と、スパイラル羽根体３と、連結体７と、から構成されている。
【００３８】
バケット体１は、曲成された内面が滑らかに形成されており、その一側面には開口された開口部２が形成されている。一方、開口部２の他側面は閉口されている（図１の右側）。スパイラル羽根付き除雪具１００を押動しながら集めた雪は、スパイラル羽根体３の回転によって開口部２から外部へ排出されるので、バケット体１は、雪を取り入れる間口を幅広とし、奥行きが短い形状となっている。バケット体１の材質は合成樹脂であり、このような軽い材質とすることによって、スパイラル羽根付き除雪具１００全体の総重量を軽量化でき、ひいては作業者への負担を減らすことができる。なお、その他バケット体１の材質としては、プラスチック，アルミニウム，チタン，合成樹脂など様々なものが挙げられる。また、梁６の高さ、厚み、本数、間隔などは如何なるものであっても構わない。
【００３９】
バケット体１のガイド面４は、スパイラル羽根体３が回転可能なように滑らかに曲成されており、スパイラル羽根体３の回転によって雪を摺動して排出する際の誘導面としての役割を担う。また、バケット体１の底部に固設された金属板５（図２参照）は、磨耗防止用としてバケット体１の底部と路面との摩擦による磨耗を防止したり、或いは、道路表面に積もった雪を掬い上げたり、硬化した雪を容易に破砕したりすることができる。従って、バケット体１の破損を防止する機能を有する。さらに、バケット体１の裏面部（図２参照）に、スパイラル羽根体３の逆方向に斜めとなるように形成された梁６は、バケット体１の強度を高める機能を有している。
【００４０】
開口部２は、バケット体１の内部に集められた雪を排出するためのものであり、スパイラル羽根体３の順方向に位置するように、バケット体１の一側面に設けられている。なお、本実施の形態では、開口部２をバケット体１の一側面に設け、一側面全てを開口させているが、一側面の一部を開口させても構わない。
【００４１】
スパイラル羽根体３は、円筒状のロール３ｂ（図３参照）の外周面上に形成されたスパイラル状の羽根３ａ（図３参照）を有している。ロール３ｂの材質は金属、スパイラル状の羽根３ａの材質は合成樹脂としているが、例えば、スパイラル状の羽根３ａも、硬化した雪を破砕するために金属としても構わない。なお、スパイラル羽根体３の円筒状のロール３ｂは、ベアリング機構１０を有しているので、作業者は、スパイラル羽根体３を回転させるのに大きな力を必要としなくても、スパイラル羽根付き除雪具１００を押動することができる。
【００４２】
連結体７は、バケット体１に固設されており、連結部７ａと，連結部７ｂと，把持部８とから構成されている。バケット体１に固設された小枠の連結部７ａの側面には、連結部７ａよりも大枠の連結部７ｂが固設されている。本実施形態では、連結部７ａ及び７ｂの材質は金属としたが、その他の材質であっても構わない。また、連結体７は、連結部７ａ及び連結部７ｂの２個の連結部を有しているが、３個以上の連結部を有していても構わない。
【００４３】
連結部７ｂには、把持部８が装着されている。把持部８は、作業者が除雪作業を行う際に手で握る部分である。把持部８には、スパイラル羽根体３の逆方向に斜めの凸条９が形成されている。雪の除雪作業は、寒い野外での作業なので、作業者の多くは軍手やグローブなどをはめており、素手での作業より滑りやすい。そこで、把持部８に凸条９を形成することによって、把持部を握る手が前方向や横方向に滑るのを防止している。
【００４４】
図３は、本考案の実施の形態に係るスパイラル羽根付き除雪具１００を分解した様子を示す分解斜視図である。図３を用いて、スパイラル羽根付き除雪具１００の組み立て方法について詳述すると、まず、円筒状のロール３ｂの外周面上にスパイラル状の羽根３ａが形成されるように、円筒状のロール３ｂとスパイラル羽根状の羽根３ａとを固定する。これにより、スパイラル状の羽根３ａとロール３ｂとが一体となって回転するスパイラル羽根体３が完成する。そして、円筒状のロール３ｂが有するベアリング機構１０を利用して、スパイラル羽根体３を、バケット体１に回転可能に支持させる。
【００４５】
次に、予め把持部８が装着された連結部７ｂを、これより小枠の連結部７ｂに嵌め込んだ後、螺子１２を横から差し込んで両者を係合し、ロータリーノブ１１を回動させて両者を固定する。最後に、連結部７ｂを、ケース体１の上部に形成された差込穴１ａに差し込んだ後、螺子１３及びナット１４によって位置決め固定する。このようにして、スパイラル羽根付き除雪具１００を組み立てることができる。
【００４６】
［機械動作］
図４は、本考案の実施の形態に係るスパイラル羽根付き除雪具１００の機械動作を説明するための説明図である。なお、除雪すべき雪２００は、最初に図４（ａ）に示す位置にあると考える。
【００４７】
スパイラル羽根付き除雪具１００を前方（図４において紙面の手前）に押動すると、スパイラル羽根体３がその順方向に回転し、雪２００は開口部２を有する側面（図４の左方向）へと移動していく（図４（ａ）→図４（ｂ））。このとき、バケット体１のガイド面４が雪２００を開口部２へと誘導するとともに、雪２００は、スパイラル状の羽根３ａを摺動しながら移動する。そして、更にスパイラル羽根付き除雪具１００を前方に押動すると、雪２００は、開口部２から外部へ排出される（図４（ｂ）→図４（ｃ））。このような図４（ａ）乃至（ｃ）の動作を繰り返すことにより、雪は開口部２から順次排出されていく。
【００４８】
図５及び図６は、本考案の実施の形態に係るスパイラル羽根付き除雪具１００を使った除雪作業の様子を示す図である。特に、図５は、一方向に雪を集積しながら除雪作業を行う様子を示しており、図６は、雪を流雪溝に押し落としながら除雪作業を行う様子を示す図である。
【００４９】
図５において、作業者は、スパイラル羽根付き除雪具１００を押動して、道路に堆積した雪を道路の一方向（開口部２側）に集積している様子を示している。図６においては、作業者は、スパイラル羽根付き除雪具１００を押動して、道路に堆積した雪を道路脇の流雪溝３００に押し落としている様子を示している。このように、流雪溝３００に沿ってスパイラル羽根付き除雪具１００を押動することによって、雪を直接流雪溝３００に押し落とすことができるので、バケット体１に積まれた雪を外部に排出するために、バケット体１を傾けたりする必要はない。
【００５０】
以上説明したように、本実施形態に係るスパイラル羽根付き除雪具１００によれば、一定量以上の雪をバケット体１に溜めることなく排出することができ、また、バケット体１をひっくり返したり傾けたりしなくても雪を外部に排出することができるため、作業者の負担を軽減することができる。
【００５１】
また、図５に示すように、本実施形態に係るスパイラル羽根付き除雪具１００は、スパイラル羽根体３の回転によって、雪掻き機能と車輪機能の双方の機能を同時に発揮することができる。そして、スパイラル羽根体３の回転は、田んぼを耕すように地面の雪を掻くので、道路を除雪すると残雪がほとんどなく（図５参照）、除雪作業の効率性を向上することができる。
【００５２】
さらに、図６に示すように、本実施形態に係るスパイラル羽根付き除雪具１００は、ガイド面４が滑らかに形成されているので、バケット体１に溜まった雪を滑らかに排出することができ、ひいては作業者の負担を更に軽減させることができる。
【００５３】
なお、本実施形態に係るスパイラル羽根付き除雪具１００では、バケット体１に、把持部８を有する連結体７（図１参照）が固設されることとしたが、本考案はこれに限られず、連結体７以外のものが固設されていてもよい。例えば、バケット体１に、把持部８を有していない連結体が固設されていてもよいし、猫車や自転車などの車両が固設（連結）されていてもよく、その種類の如何は問わない。
【産業上の利用可能性】
【００５４】
本考案に係るスパイラル羽根付き除雪具は、除雪作業に関する作業者の負担を軽減しうるものとして有用である。
【図面の簡単な説明】
【００５５】
【図１】本考案の実施の形態に係るスパイラル羽根付き除雪具の斜視図を示す図である。
【図２】本考案の実施の形態に係るスパイラル羽根付き除雪具の裏面（背面）を示す図である。
【図３】本考案の実施の形態に係るスパイラル羽根付き除雪具を分解した様子を示す分解斜視図である。
【図４】本考案の実施の形態に係るスパイラル羽根付き除雪具の機械動作を説明するための説明図である。
【図５】本考案の実施の形態に係るスパイラル羽根付き除雪具を使った除雪作業の様子を示す図である。
【図６】本考案の実施の形態に係るスパイラル羽根付き除雪具を使った除雪作業の様子を示す図である。
【符号の説明】
【００５６】
１    バケット体
２    開口部
３    スパイラル羽根体
４    ガイド面
５    金属板
６    梁
７    連結体
７ａ  連結部
７ｂ  連結部
８    把持部
９    凸条
１０  ベアリング機構
１００  スパイラル羽根付き除雪具
【図１】
0003119603.tif 000003
【図２】
0003119603.tif 000004
【図３】
0003119603.tif 000005
【図４】
0003119603.tif 000006
【図５】
0003119603.tif 000007
【図６】
0003119603.tif 000008